(57)【要約】【課題】電気コネクタ構造の提供。【解決手段】本考案は一種の電気コネクタ構造に関わるものである。主に絶縁本体、接地板、複数の端子、およびハウジングより構成する。接地板と複数の端子は後部より絶縁本体に取り付け、ハウジングは絶縁本体外部を覆う。接地板は連結部、締結部、および複数の端子ピンより構成する。接地板を後部より絶縁本体に取り付けるとき、締結部は本体の側面空間に密着させる同時、金属製ハウジングの後縁部を側面空間の後部に係止めて、締結部を固定する。さらに、接地板に備える連結部のピンに対称して、突起部を設け、金属製ハウジングの後縁部と安定接触を形成し、接地の目的を果たせる。【選択図】図２
0003125090.tif 000002
【実用新案登録請求の範囲】
【請求項１】
一種の電気コネクタ構造、絶縁本体、複数の端子、接地板およびハウジングを含み、絶縁本体は長い矩形を呈し、その前面は内側に延ばして挿接口を設け、該挿接口の両側に絶縁本体の前・後部を貫通した側面空間を設け、複数の端子は絶縁本体に配列して設け、接地板は連結部、連結部上部に設けるピン、および連結部両側に備える締結部より構成し、該接地板は該絶縁本体に設け、該ピンを延伸して絶縁本体に進入し、該締結部は側面空間内に密着し、ハウジングは該本体の外側を覆い、その後部両側は該側面空間の後部によって受け止めることを特徴とする電気コネクタ構造。
【請求項２】
請求項１記載の電気コネクタ構造において、該側面空間前方の縁に阻止壁を設け、該接地板の締結部を固定することを特徴とする電気コネクタ構造。
【請求項３】
請求項１記載の電気コネクタ構造において、該締結部は水平部と垂直部より構成し、該垂直部はさらに開口部を設けて、接ぎ合わせるコネクタを固定することを特徴とする電気コネクタ構造。
【請求項４】
請求項１記載の電気コネクタ構造において、該絶縁本体の上・下側に複数の凹みを設けるほか、該ハウジングに弾性片を設けて該へこみに締結することを特徴とする電気コネクタ構造。
【請求項５】
請求項１記載の電気コネクタ構造において、該絶縁本体の上・下側に複数の取付溝を設けるほか、該ハウジングに固定片を設けて該取付溝に挿入し固定することを特徴とする電気コネクタ構造。
【請求項６】
請求項１記載の電気コネクタ構造において、該絶縁本体両側に滑り駒を設けるほか、該ハウジング両側にギャップを設けて、組み立てのとき、該滑り駒をこのギャップに取り付けることにより、固定することを特徴とする電気コネクタ構造。
【請求項７】
一種の電気コネクタ構造、絶縁本体、接地板およびハウジングを含み、絶縁本体は長い矩形を呈し、その前面は内側に延ばして挿接口を設け、複数の端子は絶縁本体に配列し設け、接地板は連結部と連結部に配列して設けるピンより構成し、該絶縁本体に取り付け、且つ該連結部がピンの相対面に突起部を設け、ハウジングは該絶縁本体の外側を覆い、その後側に後縁部を設けて該接地板のピンと接触することを特徴とする電気コネクタ構造。
【請求項８】
請求項１記載の電気コネクタ構造において、該接地板の連結部両側はさらに、締結部を設け、該締結部のすそ部にピンを設けて、該ハウジングの後縁部に接触することを特徴とする電気コネクタ構造。
【考案の詳細な説明】
【技術分野】
【０００１】
本考案は一種の電気コネクタ構造、特に一種の小電圧差動信号表示インターフェスの電気コネクタに関わる。
【背景技術】
【０００２】
近年、パネル製品に幅広く使用されているソケットコネクタ、つまり、小電圧差動信号（Ｌｏｗ  Ｖｏｌｔａｇｅ  Ｄｉｆｆｅｒｅｎｔｉａｌ  ｓｉｇｎａｌ，  ＬＶＤＳ）コネクタは、電気回路板に溶接した後、平形たわみケーブルに接続し、平形たわみケーブルを電気回路板と電気接続する。その薄型化構造は、この種のコネクタの構造設計上、特に外層の金属製ハウジング、信号端子および接地部材の配置に大きく制限受けるほか、コネクタのクランプ力および素子と素子との連結強度も配慮しなければならない。通常、絶縁本体の強度を向上するため、外層の金属製ハウジングは、コネクタの絶縁本体の外側に覆う。さらに、外層の金属製ハウジングと接地部材と接触することにより、電磁波または静電気の影響を有効に軽減できる。図１に示すものは、公知技術の電気コネクタ構造の局部概略図である。主に、絶縁体１、信号端子２、接地板３およびハウジング４より構成する電気コネクタにおいて、接地板３の片側より延ばして接地バネ部５を絶縁体１のノッチ６に設け、弾性により上方向の絶縁体１の側面に突き出す。ハウジング４を組み入れた後、接地バネ部５はハウジング４に支えて、ハウジング４と接地板３との間に電気導通を形成し、接地目的を実現する。
【０００３】
しかしながら、図１に示す接触方式は、接地バネ部５の上向き弾性の角度が小さい場合、金属製ハウジングと接触ができない。さらに、接地板３の固定が不安定のとき、コネクタの挿抜を繰り返した後、接地板３の抜け出すなどの故障が発生する。
【考案の開示】
【考案が解決しようとする課題】
【０００４】
本考案の主要な目的は、構造を強化できるほか、使用寿命を長くすることを実現する、一種の電気コネクタ構造改良を提供する。
【０００５】
本考案の次の目的は、ハウジングと接地片との間に、より良い接触を形成し、電磁波防止を図る、一種の電気コネクタ構造改良を提供する。
【０００６】
前記した目的を実現するため、本考案より一種の電気コネクタ構造を提供し、主に絶縁本体、接地板、複数の端子、およびハウジングより構成する。接地板と複数の端子は後部より絶縁本体に取り付け、金属製ハウジングは絶縁本体外部を覆う。そのうち、はさみ板は連結部、締結部および複数のピンより構成し、はさみ板は後部より絶縁本体に取り付けた後、締結部は本体の側面空間に密着し、金属製ハウジングの後縁部を側面空間に阻止し、締結部を固定する。接地板に備える連結部は、ピンに対称する側に突起部を設け、金属製ハウジングの後縁部と安定に接触することにより、接地目的を実現する効果がある。
【課題を解決するための手段】
【０００７】
請求項１の考案は、一種の電気コネクタ構造、絶縁本体、複数の端子、接地板およびハウジングを含み、絶縁本体は長い矩形を呈し、その前面は内側に延ばして挿接口を設け、該挿接口の両側に絶縁本体の前・後部を貫通した側面空間を設け、複数の端子は絶縁本体に配列して設け、接地板は連結部、連結部上部に設けるピン、および連結部両側に備える締結部より構成し、該接地板は該絶縁本体に設け、該ピンを延伸して絶縁本体に進入し、且つ該締結部は側面空間内に密着し、ハウジングは該本体の外側を覆い、その後部両側は該側面空間の後部によって受け止めることを特徴とする電気コネクタ構造としている。
請求項２の考案は、請求項１記載の電気コネクタ構造において、該側面空間前方の縁に阻止壁を設け、該接地板の締結部を固定することを特徴とする電気コネクタ構造としている。
請求項３の考案は、請求項１記載の電気コネクタ構造において、該締結部は水平部と垂直部より構成し、該垂直部はさらに開口部を設けて、接ぎ合わせるコネクタを固定することを特徴とする電気コネクタ構造としている。
請求項４の考案は、請求項１記載の電気コネクタ構造において、該絶縁本体の上・下側に複数の凹みを設けるほか、該ハウジングに弾性片を設けて該へこみに締結することを特徴とする電気コネクタ構造としている。
請求項５の考案は、請求項１記載の電気コネクタ構造において、該絶縁本体の上・下側に複数の取付溝を設けるほか、該ハウジングに固定片を設けて該取付溝に挿入し固定することを特徴とする電気コネクタ構造としている。
請求項６の考案は、請求項１記載の電気コネクタ構造において、該絶縁本体両側に滑り駒を設けるほか、該ハウジング両側にギャップを設けて、組み立てのとき、該滑り駒をこのギャップに取り付けることにより、固定することを特徴とする電気コネクタ構造としている。
請求項７の考案は、一種の電気コネクタ構造、絶縁本体、接地板およびハウジングを含み、絶縁本体は長い矩形を呈し、その前面は内側に延ばして挿接口を設け、複数の端子は絶縁本体に配列し設け、接地板は連結部と連結部に配列して設けるピンより構成し、該絶縁本体に取り付け、且つ該連結部がピンの相対面に突起部を設け、ハウジングは該絶縁本体の外側を覆い、その後側に後縁部を設けて該接地板のピンと接触することを特徴とする電気コネクタ構造としている。
請求項８の考案は、請求項１記載の電気コネクタ構造において、該接地板の連結部両側はさらに、締結部を設け、該締結部のすそ部にピンを設けて、該ハウジングの後縁部に接触することを特徴とする電気コネクタ構造としている。
【考案の効果】
【０００８】
本考案の電気コネクタ構造は、特定の構造改良により、接地板の締結部を絶縁本体の側面空間に固定した上、ハウジングの後縁部によって、阻止及び固定する。さらに、接地板に備えるピンでもって、接地板とハウジングと容易に安定な接触を形成する。新たに素子を追加必要がないため、生産プロセスを簡素化できるほか、電気コネクタ各素子の固定性が極めて良い。
【考案を実施するための最良の形態】
【０００９】
図２から図４に示すものは、本考案の好ましい実施例における立体分解図と正面・背面の立体斜視図である。本実施例の電気コネクタ１００は主に、絶縁本体１０、接地板２０、複数の端子３０およびハウジング４０より構成する。絶縁本体１０は長い矩形のプラスチック部材を設け、その前面１１は内側に延ばして、挿接口１５を設け、平形たわみケーブルを装置する。挿接口１５の上・下面に複数のスロット１６を設け、その両側に絶縁本体１０前面１１と後面１２の側面空間１７を貫通する。絶縁本体１０の上・下側はさらに、複数のくぼみ１３１と取付溝１３２を設け、両側に滑り溝１８を設ける。
【００１０】
複数の端子３０はそれぞれ独立して、絶縁本体１０に設け、端子それぞれは接触端３１、溶接端３２並びに中間部３３を設ける。組み立てのとき、端子３０は絶縁本体１０後部１２の方向より、接触端３１を上部列のスロット１６にそれぞれ挿入し、中間部３３と絶縁本体１０との間は干渉により固定する。溶接端３２は絶縁本体１０後面１２の外部に露出させ、電気回路板と電気導通および固定する。
【００１１】
接地板２０は主に、連結部２１、複数のピン２２、及び締結部２３より構成する。複数のピン２２は連結部２１と垂直方向より、上方向に延ばして、連結部２１に配列する。締結部２３は連結部２１の両側に設け、水平部２３１と上方向に垂直延ばす垂直部２３２を設けて、垂直部２３２はさらに、開口部２３３を設ける。組み立てのとき、接地板２０は絶縁本体１０後部１２の方向より、それぞれのピン２２は下部列のスロット１６位置に合せて挿入し、ピン２２と端子３０との接触端３１は挿接口１５において、向かい合わせる。平形たわみケーブルは挿接口１５より挿入した後、接触端３１とピン２２により、上・下から挟まれる。図３に示すとおり、ピン２２をスロット１６に取り付けると同時に、接地板２０両側の締結部２３は絶縁本体１０の側面空間１７に締結し、締結部２３に備える水平部２３１と垂直部２３２は側面空間１７の内壁に密着させ、側面空間１７前方の阻止壁１７１により、締結部２３を固定する。
【００１２】
接地板３０と端子２０を組み立てた後、ハウジング４０は絶縁本体１０裏側１２方向より取付て、絶縁本体１０の外側に覆う。ハウジング４０は金属部材を使用し、絶縁本体１０外部形状に合せて、筐体を設ける。ハウジング４０の上面４１と下面４２に複数のバネ片４１１と固定片４１２を設け、二つの側面４３にギャップ４３１を残す。ハウジング４０を絶縁本体１０に取り付けた後、弾性片４１１と固定片４１２は絶縁本体１０のくぼみ１３１と取付溝１３２に干渉し、ハウジング４０の前・後部方向を脱けだせないように固定する。その上、絶縁本体１０両側に備える滑り溝１８をハウジング４０のギャップ４３１に挿入し、補助的な固定効果を図る。
【００１３】
引き続きに図４と図５を参照する。そのうち、図５は図３のＡ−Ａの接線の断面図である。ハウジング４０後側の周りに、完全に密閉しない後縁部４４を設けることにより、組み立て後のハウジング４０に備える後縁部４４を挿入済みの接地板２０に備える連結部２１と締結部２３に密着させ、接地板２０が外力を受けて後側に抜け出すことを防止する。さらに、絶縁本体１０の阻止壁１７１により、締結部２３を側面空間１７に固定する。平形たわみケーブルを挿入した後、その両側は締結部２３の開口部２３１に干渉する。この構造により、平形たわみケーブルの挿抜や引っ張りを繰り返しても、締結部２３の位置ずれは発生しない。電気コネクタ１００の使用寿命の延長を図る。接地板２０と端子３０の溶接端２５、３２は後縁部４４によって、密閉していない部分から外部に延ばす。
【００１４】
本考案は図２と図６に示すとおり、接地板２０とハウジング４０の間に安定な接触を図るため、さらに接地板２０の連結部２１に一つまたは複数の突起部２１１を設け、ハウジング４０を取り付けた後、その後縁部４４を確実に突起部２１１に受け止めて、ハウジング４０の接地板効果を実現する。突起部２１１を接地板２０に備える締結部２３のすそ部に設けても、同じく接地効果を実現できる。
【図面の簡単な説明】
【００１５】
【図１】公知技術の電気コネクタ構造の概略図である。
【図２】本考案の実施例による電気コネクタ構造の立体分解図である。
【図３】本考案の実施例による電気コネクタ構造の正面立体斜視図である。
【図４】本考案の実施例による電気コネクタ構造の背面立体斜視図である。
【図５】本考案の図３によるＡ−Ａ接線の断面図である。
【図６】本考案の図３によるＢ−Ｂ接線の断面図である。
【符号の説明】
【００１６】
１  絶縁体
２  信号端子
３  接地板
４  ハウジング
５  接地バネ部
６  ノッチ
１００  電気コネクタ
１０  絶縁本体
１１  前側
１２  後側
１３１  くぼみ
１３２  取付溝
１５  挿接口
１６  スロット
１７  側面空間
１７１  阻止壁
１８  滑り溝
２０  接地板
２１  連結部
２１１  突起部
２２  ピン
２３  締結部
２３１  水平部
２３２  垂直部
２３３  開口部
２５  溶接端
３０  端子
３１  接触端
３２  溶接端
３３  中間部
４０  ハウジング
４１  上面
４１１  ばね板
４１２  固定片
４２  下面
４３  側面
４３１  ギャップ
４４  後縁部
【図１】
0003125090.tif 000003
【図２】
0003125090.tif 000004
【図３】
0003125090.tif 000005
【図４】
0003125090.tif 000006
【図５】
0003125090.tif 000007
【図６】
0003125090.tif 000008